(57)【特許請求の範囲】
【請求項１】
コンセントプラグの両側面の上端付近から下方に開放し、且つ左右対称とするスリットを設け、該スリットの底面は電極に対して平行で近接する深さとし、更に該スリット内に蝶番アームと係わる摺動具を備え、
前記蝶番アームは、ほぼ中央に軸止部を設け、上端をスリット内の上部に係止し、且つ下端を前記摺動具の下部に軸止して、
前記摺動具が前記スリット内の上部に位置するとき、前記蝶番アームほぼ中央の軸止部を頂点とする左右対称の山型になることを特徴とするコンセントプラグ。
【請求項２】
左右対称に構成する支持体は、両外側面の上端付近から下方に開放し、且つ底板が互いに平行のスリットを設け、該スリット内に蝶番アームと係わる摺動具を備え、
前記蝶番アームは、ほぼ中央に軸止部を設け、上端をスリット内の上部に係止し、且つ下端を前記摺動具の下部に軸止して、
前記左右対称の支持体は、対向面の下部に前後対称の補強体を設け、且つ一対の電極の幅よりやや広めの区画を設けて一体に構成し、
該区画内に挿入するプラグ体は、前記前後対称の補強体に合致する凹部を設け、且つ該プラグ体の下面と前記支持体の下面が同一面とするもので、
前記摺動具が前記スリット内の上部に位置するとき、前記蝶番アーム中央の軸止部を頂点とする左右対称の山型になることを特徴とするコンセントプラグの補助具。
【発明の詳細な説明】
【技術分野】
【０００１】  この発明は、電気機器にある電源用のプラグ体、またはプラグ体に装着することによって、電源側のコンセントが延長コード等のように固定されていない不安定な状態であっても、プラグ体を片手で且つ容易に引き抜くことができるコンセントプラグ及びコンセントプラグの補助具に関する。
【背景技術】
【０００２】    従来、電器機器を使用するとき、壁面等に備えられている電源コンセントに電気機器側のプラグ体を挿入するのであるが、通常はこのプラグ体を挿入し、また引き抜くことは片手で難なく行うことができる。しかし電源コンセントに二股器具を用いることも多く、このような場合に二股器具からプラグ体を片手で引き抜こうとすると、プラグ体のみを抜くつもりでも、二股器具そのものがプラグ体と一緒に抜けて、同じ電源を使用している他の電気機器に予期せぬ支障を引き起こすことも稀なことではない。従って二股器具から片手でプラグ体を引き抜く事は極めて困難なために、多くの場合は両手で行っている。
更に延長コードによるときは、電源側のコンセントが固定されていないので、これを片手で引き抜くことは出来ない。
また、プラグ体を引き抜くために強い力を要する場合には、プラグ体とコードの接続部を損傷する事もある。
そこで上記の課題を解決しようとする技術も数多く出願されているものの、殆どの技術が実用性を欠くもので、これらの技術は利用されていない。稀に見られる商品化された技術では、全てのものがアダプター形式によるもので、その方法は電源コンセントとプラグ体との間に独立した器具として介在させていて、構造はプラグ体を抜き取るために必要な構成の他に、雄雌両方の電極が組み込まれた複雑なものとなっている。
従って、雄雌の電極を持たない、且つプラグ体に装着するか、またはモールド加工を含め、プラグ体と一体に構成して、上記の課題を解決するものは無かった。
【先行技術文献】
【特許文献】
【０００３】
【特許文献１】  意匠登録  １３０５７３２
【特許文献２】  特許公開  ２００４−３１２９８
【特許文献３】  特許公開  ２０００−４８９０７
【発明の概要】
【０００４】  本願発明に係わるコンセントプラグの補助具は、如何なる電源コンセントに挿入されているプラグ体であっても、片手で且つ容易に抜き取れることを目的として成されたもので支持体若しくはプラグ体に一対の蝶番様ア−ムを保持部を介してを設けている。
【発明が解決しようとする課題】
【０００５】  文献１の電源プラグアダプターによると、アダプター本体の両側にテコの原理を利用したレバーと、このレバーに連設する押圧部が左右対称に軸着され、更にアダプター本体には電源コンセントに挿入するための雄電極と、この雄電極の後ろに雌電極を設けて電源プラグアダプターとしている。【０００６】  文献２の差し込みプラグカバーによると、プラグカバー本体の中にプラグ体を入れて使用するもので、本体部分の端部に電極挿通用の孔と、この孔の対象側には指を掛けて引くためのリングを形成して差し込みプラグカバーとしている。【０００７】  文献３のプラグ外し具によると、塵取り型のプラグ外し具本体の中央に差し込みプラグの電極挿通用の孔を設け、また本体の外側に指を掛けるための小さなリングを形成してプラグ外し具としている。【０００８】  上記文献によると、先ず文献１の使用方法は、プラグ体を直接電源コンセントに挿入するのではなく、先にプラグ体を電源プラグアダプターに挿入しておいて、この電源プラグアダプターを電源コンセントに挿入する、つまり二段動作の構造としている。そしてプラグ体を抜き取るときは、左右対称に設けているレバーを押圧すると、これに連設する部材がテコの原理によって作動し、電源コンセントを電極の抜け方向に押すことで、電源プラグアダプター本体を抜き取れるものとしている。
この文献によると電源プラグアダプター本体の構成が極めて複雑であり、プラグ体よりも大きいので、これを使用するには、全体の大きさがプラグアダプター本体とプラグ体を合わせた長で、壁面からの出幅が大きくなり、電源コンセントからプラグ体が脱落する可能性が高くなる。また、価格も高価になってしまう事が明らかであり、この意匠の電源プラグアダプターが現時点において販売はされているものの、あまり普及していない理由と言える。【０００９】  次に文献２によると、差し込みプラグカバーの本体全てが一体に構成されていて、その使用方法は、差し込みプラグカバーの中にプラグ体を入れて電極のみを開口部から突出させ、そのままプラグ体を電源コンセントに差し込むものとしている。そしてプラグ体を抜き取るときは、電極の対象側に形成したリングに指を掛けて引けばよい。この差し込みプラグカバーは文献１に比べると、構成が簡略化されていて安価に制造できそうであるが、延長コード等のように電源コンセント自体が固定されていない状態では、プラグ体を片手で抜き取ることは出来ない根本的な課題がある。【００１０】  次に文献３によると、プラグ外し具の全てが文献２と同じく一体に構成されていて、その使用方法は、先ずプラグ体を電源コンセントに挿入するときは、プラグ外し具にプラグ体の電極を通してそのまま挿入すれば良く、またプラグ体を抜き取るときは、プラグ外し具に形成したリングを指に掛けて手前に引くと、テコの原理によってプラグ体が抜き取れるものとしている。
しかしこの構成もテコの原理を利用した部分は文献２と異なっているものの、延長コード等のように電源コンセント自体が不安定な状態のときは、プラグ体を片手で抜き取ることはできない。またこの構成によるとプラグ体を抜き取ったあとに、プラグ外し具がプラグ体から脱落してしまう可能性が高い等の課題がある。
以上、上記文献の他に同じ目的の出願は数多く成されていて、プラグ体を抜き取る為にテコの原理を応用した構成と、雄電極の他に雌電極をも組み込んでいる出願が多く、これらの出願に係わる発明は、本体自体も大きく、また部品の点数も多くなるので、価格が高価になってしまう課題がある。またプラグ体に装着する構成のものは、二股器具や延長コードのように不安定な電源コンセントからは片手で抜き取れない。
【課題を解決するための手段】
【００１１】  本発明は、コンセントプラグの両側面の上端付近から下方に開放し、且つ左右対称とするスリットを設け、該スリットの底面は電極に対して平行で近接する深さとし、更に該スリット内に蝶番アームと係わる摺動具を備え、前記蝶番アームは、ほぼ中央に軸止部を設け、上端をスリット内の上部に係止し、且つ下端を前記摺動具の下部に軸止して、前記摺動具がスリット内の上部に位置するとき、前記蝶番アームほぼ中央の軸止部を頂点とする左右対称の山型になるように構成している。
【発明の作用】
【００１２】  本願発明の実施例１を図１・図２・図３に基づいて詳細に説明する。
図１は本実施例の正面図であって、上部に保持部６・６を形成する支持体５・５はプラグ体３１よりやや広めの間隔をもって配設し、更に該支持体５・５を補強体４・４によって連結固定し、そして蝶番部１２・１２と案内溝１３・１３を形成する蝶番ア−ム１１・１１を、前記保持部６・６に可動状態に嵌合している。
図２は図１のａ−ａ矢視つまり底板２を正面から見た図であって、前記補強体４・４と前記支持体５・５を周辺とする長方形の底板２は中央にやはり長方形の電極挿通口３を形成し、該底板２の両短辺側に突出した補強体４・４内側の適宜箇所に、円錐型の案内凸部７・７を向き合わせて形成している。そして該案内凸部７・７と案内溝１３・１３の間だに僅かな隙間を確保して前記蝶番アーム１１・１１を介在させ、該蝶番アーム１１・１１は前記補強体４・４に対して摺動可能としている。
ここで電極挿通口３の大きさは、電極挿通口３と前記電極３３との隙間を最小限とすることで、本体１にプラグ体３１を装着した時の安定度が高まる。
図３は図２のｂ−ｂ断面図であって、底板２と支持体５・５は補強体４・４によって一体構成とし、蝶番アーム１１・１１は中央の蝶番部１２・１２を合成樹脂のヒンジ加工によるヒンジ部１５・１５として、上端部には嵌合凸部１４・１４を形成し、また前記ヒンジ部１５・１５の下側に案内溝１３・１３を形成している。そして該案内溝１３・１３を前記案内凸部７・７の間に位置させながら、前記嵌合凸部１４・１４を前記支持体５・５の上端部に形成した嵌合凹部８・８に可動状態に嵌めててコンセントプラグの補助具としている。
ここで底板２の厚さは所要の強度が得られる限りの最小限とし、また本実施例では電極挿通口３は、プラグ体３１の二本の電極の外側を結ぶ一つの長方形としているが、電極挿通口を２ヵ所設けて電極を一本づつ通しても良い。
また本体１がプラグ体３１からの脱落を防止する方法として、本実施例では補強体４・４の内側中央に弾性素材による脱落防止具９・９を設けている。
更に、保持部６・６及び蝶番部１２・１２の全てを合成樹脂のヒンジ加工によると、本実施例の全構成を一体に制作することができる。
本実施例の補強体４・４に設けた案内凸部７・７と蝶番ア−ム１１・１１に形成する案内溝１３・１３を、本体１と蝶番様ア−ム１１・１１とに係わる摺動装置を備えても同じ効果が得られる。
【００１３】  次にこの実施例の作用を図４・図５によって説明する。
先ず、図４は電気器機側のプラグ体３１に本実施例のコンセントプラグの補助具を装着して、延長コード側の電源コンセント３４に挿入した状態を示すもので、このとき底板２が電源コンセント３４の表面に密着する事と同時に、左右一対の蝶番アーム１１・１１の先端部も電源コンセント３４の表面に接する状態となり、案内溝１３・１３は案内凸部７・７に摺動して、蝶番アーム１１・１１は蝶番部１２・１２は角度を変えて左右対称の山型になる。
次に、プラグ体３１を抜くときは、図５に示すように、山型の蝶番アーム１１・１１の蝶番部１２・１２を両側から指先で摘むと、該蝶番部１２・１２は押圧で角度が開くのに連れて、蝶番アーム１１・１１は直線状に伸び、その結果として蝶番アーム１１・１１の先端が底板２の面から突出する。この突出によって電極３３が電源コンセント３４から抜け切れる位置まで電源コンセント３４を押し離すものである。
【発明の効果】
【００１４】  本願発明のコンセントプラグの補助具は上記の構成と作用によって、次に述べる効果がある。
１．本願コンセントプラグの補助具をプラグ体に装着しておくと、壁に設置されている電源コンセントの他にも、延長コード等の不安定な電源コンセント、更に硬くて抜けにくい電源コンセント等、如何なる電源コンセントに挿入されていても、指先で蝶番アームを軽く摘むことによって、片手で且つ容易にプラグ体を抜き取ることができる。
従って子供や高齢者そして障害を持つ人には特段の効果を発揮すものである。
【００１５】２．後記する実施例６・７・８は、摺動具が電極の近接位置に設けているので、コンセント側の大きさが本願コンセンントプラグより小さくても、十分な効果が得られる。
【図面の簡単な説明】
【００１６】
【図１】  本願発明の実施例１の正面図
【図２】  図１のａ−ａ矢視図
【図３】  図２のｂ−ｂ断面図
【図４】  実施例１の作用を示すｂ−ｂ断面図
【図５】  実施例１の作用示すｂ−ｂ断面図
【図６】  本発明の実施例２を示す正面図
【図７】  本願発明の実施例３を示す断面図
【図８】  図７のｃ−ｃ矢視図
【図９】  図７のｄ−ｄ断面図
【図１０】  本発明の実施例４を示す正面図
【図１１】  図１０のｅ−ｅ矢視図
【図１２】  本発明の実施例５の底面図
【図１３】  本発明の実施例６の内部構成を示す断面図
【図１４】  図１３のｆ−ｆ断面図
【図１５】  実施例６の作用を示す断面図
【図１６】  本発明の実施例７の正面図
【図１７】  実施例７の内部構成を示す断面図
【図１８】  図１６のｇ−ｇ断面図
【図１９】  本発明の実施例８の内部構成を示す断面図
【符号の説明】
【００１７】１：本体                    ２：底板              ３：電極挿通口
４：補強体                  ５：支持体            ６：保持部
７  案内凸部                ８：嵌合凹部          ９：脱落防止具
１０：湾曲部
１１：蝶番アーム            １２：蝶番部          １３：案内溝
１４：嵌合凸部              １５：ヒンジ部        １６：軸
１７：脱落防止部            １８：扇形凹部        １９：長凸部
２０：挿通枠                ２１：補強体          ２２：支持体
２３：蝶番アーム            ２４：摺動具          ２５：スリット
３１・３２：プラグ体        ３３：電極            ３４：電源コンセント
【発明を実施するための形態】
【実施例２】
【００１８】  本願発明の実施例２を図６に基づいて説明する。
実施例１では蝶番ア−ム１１・１１の蝶番部１２・１２を合成樹脂のヒンジ加工として一体に構成しているのに対して、この実施例は構成全体において最も強い力が掛かる蝶番部１２・１２を軸止としている。
【実施例３】
【００１９】  次に、本願発明の実施例３を図７・図８・図９に基づいて説明する。
図７はこの実施例の断面図であって、この構成によると少なくとも湾曲部１０・１０を形成する補強体４・４を弾発性を有する素材によるもので、該湾曲部１０・１０は両支持体側を高く、そして中央を低く形成している。更に図８及び図９に示すように、該湾曲部  １０・１０は中央の低くなっている部分を互いに内側に向けて張り出させている。
そして図９に示すように、プラグ体３１を本体１の上方向から差し入れると、先ず前記湾曲部１０・１０の両支持体寄りの高い部分でプラグ体３１が湾曲部１０に接し始め、進に連れて湾曲部１０・１０を順に押し広げ、そしてプラグ体３１が底板２に到達した時点では素材が有する弾発力によってプラグ体３１を挟み掴むので、本体１がプラグ体３１からの脱落を防止することができる。
【実施例４】
【００２０】  次に、本願発明の実施例４を図１０・図１１に基づいて説明する。
図１０はこの実施例の正面図であって、実施例１では補強体４・４に案内凸部７・７を形成し、また蝶番アーム１１・１１の側に案内溝１３・１３を形成しているが、本実施例では補強体４・４の側には扇の形に似た扇形凹部１８・１８を向き合わせて形成し、そして蝶番アーム１１・１１には前記扇形凹部１８・１８に嵌入して摺動自在とする長凸部１９・１９を形成するもので、本実施例の作用と効果は実施例１と同じである。
図１１は図１０の底板２を正面から見ていて、扇形凹部１８・１８に長凸部１９・１９を嵌入した状態を示している。
【実施例５】
【００２１】  次に、本願発明の実施例５を図１２に基づいて説明する。
図１２はこの実施例の底板２を正面から見た図であって、実施例１及び実施例２では本体１と蝶番アーム１１は凹部に凸部を嵌入することによって摺動自在としているが、本実施例では補強体４・４の両端部に蓋をし、該蓋と補強体４・４と支柱５・５によって挿通枠２０・２０を形成し、該挿通枠２０・２０の中を蝶番アーム１１・１１が摺動するものとしている。
【実施例６】
【００２２】  次の実施例６及び実施例７・実施例８は、コンセント側のプラグと接する面の広さが、プラグの電極がある面より小さい場合でも、確実な効果を得るためになされた構成であって、コンセントを押し離すための摺動具を、左右の電極に近接する位置に設けている。
先ず、本願発明の実施例６を図１３・図１４・図１５に基づいて説明する。
図１３はこの実施例の内部の構成を示す断面図であって、モールド加工とするプラグ体３２の両側面の上端付近から下方に開放し、且つ左右対称とするスリット２５・２５を設け、該スリット２５・２５の縦長に形成するの底面は、電極３３・３３に対して平行且つ、近接する深さとし、更に、該スリット内に蝶番アーム２３・２３と係わる縦長の摺動具２４・２４を備え、前記蝶番アーム２３・２３は、ほぼ中央に軸止する蝶番部１２・１２を設け、上端をスリット２５・２５内の上部に係止し、且つ下端を前記摺動具２４・２４の下部に軸止している。
次に図１４は、図１３のｆ−ｆ線を示す断面図であって、プラグ体３２の両側面にスリット２５・２５を形成し、該スリット内に摺動具２４・２４と蝶番アームを設けている。
次に図１５は、本実施例の作用を示す断面図であって、図１３の左右対称の山型を示す蝶番部１２・１２を内方向に押圧すると、摺動具２４・２４の作動方向によって、蝶番アーム２３・２３が直線状に伸び、これによってプラグ体３２から電源コンセント３４を押し離すことができる。
【実施例７】
【００２３】  次に、実施例７を図１６・図１７・図１８に基づいて詳細に説明する。
図１６は、本実施例の正面図であって、左右対称に構成する支持体２２・２２は両側面に、中央に蝶番部１２・１２を設けた蝶番アーム２３・２３を設け、該支持体２２・２２は、下部の対向する面に、前後に配設する補強体２１を介して、電極３３・３３よりやや広めの区画を設けて一体に構成し、更に該区画内にプラグ体３２を挿入している。
図１７は、図１６の内部の構成を示す断面図であって、左右対称に構成する支持体２２・２２は、両外側面の上端付近から下方に開放し、且つ底板が互いに平行のスリット２５・２５を設け、該スリット内に摺動具２４・２４を備えて、更にほぼ中央を軸止による蝶番部１２・１２とする蝶番アーム２３・２３を設け、該蝶番アームは上端をスリット２５・２５内の上部に係止し、且つ下端を前記摺動具２４・２４の下部に軸止していて、左右対称の支持体２２・２２によって設けた区画に、プラグ体３２を挿入している。
そして該プラグ体の下面と、摺動具２４・２４及び支持体２２・２２の下面は同一面としているので、プラグ体３２をコンセントの表面に密着させることができる。
図１８は、図１６のｇ−ｇ断面図であって、プラグ体３２の下部の両側に補強体２１・２１に合致する凹部を設けている。
【実施例８】
【００２４】  次に、本願発明の実施例８を図１８に基づいて説明する。
図１８はこの実施例の内部の構成を示す断面図であって、従来から一般に販売されている表側と裏側の部材をビス・ナットで繋ぎ止める形式の取り替え用のコンセントプラグに本願発明の構成を組み込んだものである。
【図１】
0005887581.tif 000002
【図２】
0005887581.tif 000003
【図３】
0005887581.tif 000004
【図４】
0005887581.tif 000005
【図５】
0005887581.tif 000006
【図６】
0005887581.tif 000007
【図７】
0005887581.tif 000008
【図８】
0005887581.tif 000009
【図９】
0005887581.tif 000010
【図１０】
0005887581.tif 000011
【図１１】
0005887581.tif 000012
【図１２】
0005887581.tif 000013
【図１３】
0005887581.tif 000014
【図１４】
0005887581.tif 000015
【図１５】
0005887581.tif 000016
【図１６】
0005887581.tif 000017
【図１７】
0005887581.tif 000018
【図１８】
0005887581.tif 000019
【図１９】
0005887581.tif 000020